(57)【要約】生体液中の分析対象物濃度を決定するための検査センサ（１００）は、流体受入エリア（１２８）およびポート挿入領域（１２６）を包含するストリップを含む。光学的に透明な位置（１３２）および非透明な位置の第１の列がポート挿入領域（１２６）の第１のエリア内に配列された較正コードパターン（１３０）を形成する。光学的に透明な位置（１４２）および非透明な位置の第２の列がポート挿入領域（１２６）の第２のエリア内に配列された同期コードパターン（１４０）を形成する。第２のエリアは、第１のエリアとは異なる。同期コードパターン（１４０）は、較正コードパターン（１３０）に対応し、同期コードパターン（１４０）は、分析対象物測定機器の受入ポート内への、ポート挿入領域（１２６）の挿入期間に、順次較正コードパターン（１３０）の同期を提供する。
2017508158.tif 000002
【特許請求の範囲】
【請求項１】
生体液中の分析対象物濃度を決定するための検査センサであって：
流体受入エリアおよびポート挿入領域を包含するストリップと；
ポート挿入領域の第１のエリア内に配列された較正コードパターンを形成する光学的に透明な位置および非透明な位置の第１の列と；
ポート挿入領域の第２のエリア内に配列された同期コードパターンを形成する光学的に透明な位置および非透明な位置の第２の列であって、第２のエリアが第１のエリアとは異なる第２の列と、を含み、
同期コードパターンが較正コードパターンに対応し、分析対象物測定機器の受入ポート内へのポート挿入領域の挿入期間に、同期コードパターンが較正コードパターンの同期を提供する、
検査センサ。
【請求項２】
較正コードパターンおよび同期コードパターンがストリップにおける少なくとも一つの開口を包含し、少なくとも一つの開口が光学的に透明な位置の一つ以上を画定する、請求項１記載の検査センサ。
【請求項３】
較正コードパターンが同期コードパターンと較正コードパターンが同じ全長を有するような全長を有する、請求項１記載の検査センサ。
【請求項４】
較正コードパターンを形成する位置が同期コードパターンとパラレルにストリップ上に直線的に配列された、請求項１記載の検査センサ。
【請求項５】
ポート挿入領域が第１の縁および反対側の第２の縁を包含し、較正コードパターンが第１の縁とパラレルにかつそれに沿って方向づけられ、同期コードパターンが第２の縁とパラレルにかつそれに沿って方向づけられた、請求項１記載の検査センサ。
【請求項６】
較正コードパターンおよび同期コードパターンの各々が第１の縁および第２の縁に沿ってストリップに配列された開口を包含し、コードパターンの開口の各々がストリップによって画定された開口の３つの側面のみをもつ概して矩形である、請求項５記載の検査センサ。
【請求項７】
較正コードパターンがおよそ８個〜およそ１６個の光学的に透明な第１の孔を包含し、同期コードパターンがおよそ８個〜およそ１６個の光学的に透明な第２の孔を包含する、請求項１記載の検査センサ。
【請求項８】
較正コードパターンがストリップの上表面を０．０４平方インチ未満占有する、請求項１記載の検査センサ。
【請求項９】
同期コードパターンがストリップの上表面を０．０４平方インチ未満占有する、請求項１記載の検査センサ。
【請求項１０】
較正コードパターンおよび同期コードパターンが共に、ストリップの上表面を０．０６平方インチ未満占有する、請求項１記載の検査センサ。
【請求項１１】
検査センサが光学的検査センサである、請求項１記載の検査センサ。
【請求項１２】
生体液中の分析対象物濃度を決定するための検査センサであって：
流体受入エリアおよびポート挿入領域、ポート挿入領域内に少なくとも部分的に配列された一つ以上の電気的コンタクトであって、分析対象物測定機器の受入ポート内へのポート挿入領域の挿入時に、分析対象物測定機器のセンサコンタクトに位置合わせおよび電気的に接続するように構成された電気的コンタクトと、を包含するストリップと；
ポート挿入領域の第１のエリア内に配列された順次較正コードパターンであって、光波がそこを通って伝送可能な第１の光学的に透明な部分を包含する順次較正コードパターンと；
ポート挿入領域の第２のエリア内に配列された同期コードパターンであって、第２のエリアが第１のエリアとは異なり、光波がそこを通って伝送可能な第２の光学的に透明な部分を包含する同期コードパターンと、を含み、
同期コードパターンが順次較正コードパターンに対応し、分析対象物測定機器の受入ポート内へのポート挿入領域の挿入期間に、同期コードパターンが順次較正コードパターンの同期を提供する、
検査センサ。
【請求項１３】
同期コードパターンが等間隔に分配された光学的に非透明な材料によって各々が分離された、等間隔に分配された順次孔を有する、請求項１２記載の検査センサ。
【請求項１４】
検査センサがグルコース酸化酵素またはグルコース脱水素酵素を包含する試薬を包含する、請求項１または１２記載の検査センサ。
【請求項１５】
生体液中の分析対象物濃度を決定するためのバイオセンサシステムであって：
一つ以上の光源、第１の光センサおよび第２の光センサを包含する光学的パターン読み取り装置に接続されたプロセッシングユニットを包含する測定装置と；
第１の光学的に透明な孔を包含するシーケンシャルデータコーディングパターンおよび第２の光学的に透明な孔を包含する分離した対応する同期コーディングパターンを包含するセンサストリップと、を含み、
一つ以上の光源が光波を第１のおよび第２の光学的に透明な孔を通して伝送するように構成され、一つ以上の光源が第１のおよび第２の光学的に透明な孔の第１の側面に少なくとも部分的に位置付けられ、
第１の光センサが第１の光学的に透明な孔の反対の側面に位置付けられ、第２の光センサが第２の光学的に透明な孔の反対の側面に位置付けられ、第１の光センサおよび第２の光センサが一つ以上の光源からの伝送された光波を受け入れるように構成され、
光波が一つ以上の光源によって伝送され、センサストリップが測定装置内に挿入されている間に、第１の光センサおよび第２の光センサによって受け入れられ、同期コーディングパターンに関連する第２の光センサによって受け入れられた光波がシーケンシャルデータコーディングパターンに関連する第１の光センサによって受け入れられた光波のための同期を提供する、
バイオセンサシステム。
【請求項１６】
シーケンシャルデータコーディングパターンおよび同期コーディングパターンによって、一連の対応するポジティブおよびネガティブコードシグナルが光学的読み取りヘッド装置によって生成され、センサストリップが測定装置内に挿入されている間にプロセッシングユニットによって受信され、測定装置およびセンサストリップがシーケンシャルデータコーディングパターンに関連する少なくとも一つの相関式を有する分析対象物分析を具現化するように構成され、プロセッシングユニットが光学的パターン読み取り装置から受信した、生成されたコードシグナルに応じて、少なくとも一つの相関式を較正するように構成され、プロセッシングユニットがさらに、少なくとも一つの較正された相関式に応答して、分析対象物濃度を決定するように構成された、請求項１５記載のバイオセンサシステム。
【請求項１７】
シーケンシャルデータコーディングパターンがセンサストリップの全長に沿って分配され、同期コーディングパターンがシーケンシャルデータコーディングパターンと同じ全長を有する、請求項１５記載のバイオセンサシステム。
【請求項１８】
同期コーディングパターンがセンサストリップの表面に等間隔に分配された光学的に透明なシーケンシャル孔であり、各々の隣接した光学的に透明な同期孔が光学的に非透明な材料によって分離された、請求項１５記載のバイオセンサシステム。
【請求項１９】
センサストリップが第１の縁および反対側の第２の縁を有し、シーケンシャルデータコーディングパターンが第１の縁に沿ってシーケンシャルに位置付けられ、同期コーディングパターンが反対側の第２の縁に沿ってシーケンシャルに位置付けられ、
シーケンシャルデータコーディングパターンおよび同期コーディングパターンがセンサストリップにおける一つ以上の開口を包含し、各々のコーディングパターン開口が矩形であり、センサストリップの光学的に非透明な材料によって３つの側面のみに沿って画定された、請求項１５記載のバイオセンサシステム。
【請求項２０】
一つ以上の光源が単一ＬＥＤ光源およびＬＥＤ光源からの光を受け入れて、光波を第１の光学的に透明な孔および第２の光学的に透明な孔に向け直すための２つの光ガイドを包含し、光波が２つの光ガイド内の全内部反射によって導かれ、２つの光ガイドが光学的に透明な孔の最小寸法よりも狭い光ビームを放出するように構成された、請求項１５記載のバイオセンサシステム。
【請求項２１】
より多い光源のうちの一つの各々が一つ以上の光源が光学的に透明な孔の最小寸法よりも狭い光ビームを放出するように構成されたマスクを包含する、請求項１５記載のバイオセンサシステム。
【請求項２２】
シーケンシャルデータコーディングパターンに関連する第１の光学的に透明な孔および同期コーディングパターンに関連する第２の光学的に透明な孔を通して伝送された光波に応じて、光センサがパルスのシーケンスを生成する、請求項１５記載のバイオセンサシステム。
【請求項２３】
較正された相関式を使用して生体液中の分析対象物濃度を決定するための方法であって、以下の行為、すなわち：
（ａ）較正コーディングパターンを形成するシーケンシャルの光学的に透明な位置および非透明な位置の第１の列を包含する、検査センサにおける第１の光学的に透明な孔を通して光波を伝送することと；
（ｂ）行為（ａ）とほぼ同時に、較正コーディングパターンに対応する同期コーディングパターンを形成する、シーケンシャルの光学的に透明な位置および非透明な位置の第２の列を包含する、検査センサにおける第２の光学的に透明な孔を通して光波を伝送することと；
（ｃ）第１の光学的に透明な孔を通して伝送された光波を第１の光センサにおいて受け入れることと；
（ｄ）第２の光学的に透明な孔を通して伝送された光波を第２の光センサにおいて受け入れることと；
（ｅ）分析対象物測定装置内への検査センサの挿入期間に、第１の光センサによって受け入れられた光波ならびに第１の光センサを通る光学的に透明な位置および非透明な位置の故に第１の光センサによって受け入れられない光波に応じて、一連の較正コードシグナルを生成することと；
（ｆ）行為（ｅ）とほぼ同時に、分析対象物測定装置内への検査センサの挿入期間に、第２の光センサによって受け入れられた光波ならびに第２の光センサを通る光学的に透明な位置および非透明な位置の故に第２の光センサによって受け入れられない光波に応じて、一連の較正コードシグナルに対応する一連の同期コードシグナルを生成することと；
（ｇ）一連の較正コードシグナルの生成に応じて、少なくとも一つの相関式を較正することと；
（ｈ）少なくとも一つの較正された相関式に基づいて、分析対象物濃度を決定することと、を含み、
分析対象物濃度が出力シグナルを発生する反応において分析対象物を反応させることによって決定され、分析対象物濃度が少なくとも一つの較正された相関式および発生された出力シグナルを使用して決定される、
方法。
【請求項２４】
分析対象物測定機器の挿入ポート内への検査センサの挿入を検出することをさらに含み、検出がステップ（ａ）および（ｂ）における光波の伝送の直前に起こる、請求項２３記載の方法。
【請求項２５】
シーケンシャルの光学的に透明な位置および非透明な位置の第２の列が等間隔に設けられた、請求項２３記載の方法。
【請求項２６】
検査センサが血糖濃度を決定する、請求項２３記載の方法。
【請求項２７】
シーケンシャルの光学的に透明な位置および非透明な位置の少なくとも一部が互い違いに位置する、請求項２３記載の方法。
【請求項２８】
反応が電気化学的反応であり、出力シグナルが電気シグナルである、請求項２３記載の方法。
【発明の詳細な説明】
【技術分野】
【０００１】
関連出願の相互参照
本出願は、全体を引用例として本明細書に取り込む、２０１４年３月７日に出願された米国特許出願第６１／９４９，５８７号の優先権および利益を主張する。
【０００２】
技術分野
本発明は、一般的に流体サンプルの分析対象物濃度を決定するためのバイオセンサに関し、より詳細には、流体サンプルの分析対象物濃度を決定する計器を較正する、バイオセンサの順次コーディングのシステムおよび方法に関する。
【０００３】
発明の背景
体液中の分析対象物の定量的決定は、特定の生理学的状態の診断および維持において極めて重要である。例として、乳酸塩、コレステロールおよびビリルビンを、特定の個人において観測すべきである。とりわけ、体液中のグルコースの決定は、その人の食事中の炭水化物摂取量を調整するために、その人の血液中のグルコースレベルを頻繁にチェックする必要がある糖尿病をもつ個人にとって重要である。そのような検査結果を使用して、もしあれば、投与する必要があるインスリンまたは他の薬剤を決定することができる。一つのタイプの検査システムにおいて、流体、例えば、血液のサンプルを検査するために、検査センサが使用される。
【０００４】
検査センサは、血糖に反応するバイオセンシングまたは試薬材料を含有する。センサの検査端は、検査される流体、例として、刺し傷をつけた後の人の指にたまった血液に設置されるように適応する。流体は、毛細管作用によって、センサにおいて検査端から試薬材料に延在する毛細管チャネル内に吸い込まれ、これにより検査される十分な量の流体がセンサ内に吸い込まれる。その後、流体は、センサ内の試薬材料に化学的に反応し、システムは、これを、流体サンプル中の分析対象物（例えば、グルコース）に関する情報に相関させる。
【０００５】
診断システム、例えば、血糖検査システムは、通常、測定された出力および検査を実行するのに使用される試薬感知要素（検査センサ）の既知の反応性に基づいて実際のグルコース値を計算する。検査センサの反応性またはロット較正情報を、計器に入力される数字または文字を包含するいくつかの形態において使用者に与えることができる。一つの方法は、検査センサに類似するが計器によって較正要素として認識できた要素の使用を包含する。検査要素の情報は、検査要素を直接に読み出すための、計器のマイクロプロセッサボードにプラグされた計器またはメモリ要素によって読み出される。
【０００６】
改善されたバイオセンサ、特に、正確なおよび／または精密な分析対象物濃度測定をますます提供できるものに対する現行の要求がある。本発明のシステム、装置および方法は、バイオセンサに使用されるセンサストリップにおけるエンコーディングパターンに関連する不都合の少なくとも一つを克服する。
【０００７】
発明の概要
本発明の一つの態様の、生体液中の分析対象物濃度を決定するための検査センサは、流体受入エリアおよびポート挿入領域を包含するストリップを含む。光学的に透明な位置および非透明な位置の第１の列がポート挿入領域の第１のエリア内に配列された較正コードパターンを形成する。光学的に透明な位置および非透明な位置の第２の列がポート挿入領域の第２のエリア内に配列された同期コードパターンを形成する。第２のエリアは、第１のエリアとは異なる。同期コードパターンは、較正コードパターンに対応し、分析対象物測定機器の受入ポート内へのポート挿入領域の挿入期間に、同期コードパターンが順次較正コードパターンの同期を提供する。
【０００８】
本発明のもう一つの態様の、生体液中の分析対象物濃度を決定するための検査センサは、流体受入エリアおよびポート挿入領域を包含するストリップを含む。一つ以上の電気的コンタクトがポート挿入領域内に少なくとも部分的に配列される。電気的コンタクトは、分析対象物測定機器の受入ポート内へのポート挿入領域の挿入時に、分析対象物測定機器のセンサコンタクトに位置合わせおよび電気的に接続するように構成される。順次較正コードパターンがポート挿入領域の第１のエリア内に配列される。順次較正コードパターンは、光波がそこを通って伝送可能な第１の光学的に透明な部分を包含する。同期コードパターンは、ポート挿入領域の第２のエリア内に配列される。第２のエリアは、第１のエリアとは異なる。同期コードパターンは、光波がそこを通って伝送可能な第２の光学的に透明な部分を包含する。同期コードパターンは、順次較正コードパターンに対応し、分析対象物測定機器の受入ポート内へのポート挿入領域の挿入期間に、同期コードパターンが順次較正コードパターンの同期を提供する。
【０００９】
本発明のもう一つの態様の、生体液中の分析対象物濃度を決定するためのバイオセンサシステムは、光学的パターン読み取り装置に接続されたプロセッシングユニットを包含する測定装置を含む。光学的パターン読み取り装置は、一つ以上の光源、第１の光センサおよび第２の光センサを包含する。センサストリップは、第１の光学的に透明な孔を包含するシーケンシャルデータコーディングパターンおよび第２の光学的に透明な孔を包含する分離した対応する同期コーディングパターンを包含する。一つ以上の光源は、光波を第１のおよび第２の光学的に透明な孔を通して伝送するように構成される。一つ以上の光源は、第１のおよび第２の光学的に透明な孔の第１の側面に少なくとも部分的に位置付けられる。第１の光センサは、第１の光学的に透明な孔の反対の側面に位置付けられ、第２の光センサは、第２の光学的に透明な孔の反対の側面に位置付けられる。第１の光センサおよび第２の光センサは、一つ以上の光源からの伝送された光波を受け入れるように構成される。光波は、一つ以上の光源によって伝送され、センサストリップが測定装置内に挿入されている間に、第１の光センサおよび第２の光センサによって受け入れられ、同期コーディングパターンに関連する第２の光センサによって受け入れられた光波は、シーケンシャルデータコーディングパターンに関連する第１の光センサによって受け入れられた光波のための同期を提供する。
【００１０】
本発明のなおももう一つの態様の、生体液中の分析対象物の分析を較正するための方法。方法は、以下の行為：（ａ）較正コーディングパターンを形成するシーケンシャルの光学的に透明な位置および非透明な位置の第１の列を包含する、検査センサにおける第１の光学的に透明な孔を通して光波を伝送することと；（ｂ）行為（ａ）とほぼ同時に、較正コーディングパターンに対応する同期コーディングパターンを形成する、シーケンシャルの光学的に透明な位置および非透明な位置の第２の列を包含する、検査センサにおける第２の光学的に透明な孔を通して光波を伝送することと；（ｃ）第１の光学的に透明な孔を通して伝送された光波を第１の光センサにおいて受け入れることと；（ｄ）第２の光学的に透明な孔を通して伝送された光波を第２の光センサにおいて受け入れることと；（ｅ）分析対象物測定装置内への検査センサの挿入期間に、第１の光センサによって受け入れられた光波、ならびに第１の光センサを通る光学的に透明な位置および非透明な位置の故に第１の光センサによって受け入れられない光波に応じて、一連の較正コードシグナルを生成することと；（ｆ）行為（ｅ）とほぼ同時に、分析対象物測定装置内への検査センサの挿入期間に、第２の光センサによって受け入れられた光波、ならびに第２の光センサを通るシーケンシャルの光学的に透明な位置および非透明な位置の第２の列の故に第２の光センサによって受け入れられない光波に応じて、一連の較正コードシグナルに対応する一連の同期コードシグナルを生成することと；（ｇ）一連の較正コードシグナルに応じて、少なくとも一つの相関式を較正することと；（ｈ）少なくとも一つの較正された相関式に応じて、分析対象物濃度を決定することを包含する。分析対象物濃度は、出力シグナルを発生する電気化学的反応において分析対象物を反応させることによって決定される。分析対象物濃度は、少なくとも一つの較正された相関式および発生された出力シグナルを使用して計算される。
【００１１】
本発明の追加の態様は、さまざまな実施態様の詳細な説明を見ると、当業者に明らかとなる。説明は、図面を参照して為され、以下に簡単な説明を提供する。
【図面の簡単な説明】
【００１２】
【図１】一つの実施態様の、順次光学的コーディングをもつセンサストリップの上面図を例証する。
【図２】一つの実施態様の、光学的パターン読み取り装置の態様とともに、図１のセンサストリップの部分の側面図を例証する。
【図３】一つの実施態様の、センサインターフェースおよび光学的パターン読み取り装置内に挿入された、順次光学的コーディングをもつセンサストリップの上面図を例証する。
【図４】一つの実施態様の、図３のセンサストリップの側面図を例証する。
【図５】センサインターフェース内へのセンサストリップの挿入によって生成されたコードおよび同期シグナルとともに、センサインターフェースおよび光学的パターン読み取り装置に隣接したセンサストリップを例証する。
【図６】センサインターフェース内へのセンサストリップの挿入によって生成されたコードおよび同期シグナルのもう一つの態様を例証する。
【図７】特定の実施態様の、センサストリップ内への開口をパンチングすることによって作り出された光学的に透明な順次データコーディングパターンおよび同期コーディングパターンを包含するセンサストリップを例証する。
【図８】特定の実施態様の、センサストリップ内への開口をパンチングすることによって作り出された光学的に透明な順次データコーディングパターンおよび同期コーディングパターンを包含するセンサストリップを例証する。
【図９】一つの実施態様の、印刷されたコーディングパターンをセンサストリップの透明なエリアに設置することによって作り出された光学的に透明な順次データコーディングパターンおよび同期コーディングパターンを包含するセンサストリップを例証する。
【図１０】特定の実施態様の、流体サンプル中の分析対象物の分析を較正するための例示的な方法のフローチャートである。
【発明を実施するための形態】
【００１３】
本発明は、さまざまな変形および代替形態を受け入れる余地があるが、具体的な実施態様を図面において例として示し、本明細書に詳細に記載する。しかし、本発明は、開示した特にその形態に限定されることは意図しないことを理解すべきである。むしろ、本発明は、本発明の本質および範囲内に収まるすべての変形、均等物および代替物を対象とするはずである。
【００１４】
詳細な説明
本発明は、多くの異なる形態における実施態様を受け入れる余地があるが、本発明の好ましい実施態様が図面に示され、本明細書において詳細に記載され、本開示は、本発明の原理の例示として考慮されるべきであり、本発明の広義の態様を、例証した実施態様に限定することは意図しないことが理解される。本詳細な説明の意向において、（具体的に否定されていない限り）単数形は、複数形を包含し、逆も同じであり；「または」という言葉は、接続語および離接語両方であるとされ；「すべての」という言葉は、「任意のおよびすべての」を意味し、「任意の」という言葉は、「任意のおよびすべての」を意味し、ならびに「を包含する」いう言葉は、「を包含するが、それに限定されるわけではない」を意味する。
【００１５】
本開示は、流体サンプル、例えば生体サンプル（例えば、血糖サンプル）中の分析対象物濃度を決定するためのシステムのためのセンサ（例えば、センサストリップ、バイオセンサ、検査センサ）の改善に関する。センサは、分析対象物サンプル、例えば、流体サンプル（例えば、血液サンプル、他の生体液サンプル）を収集するのに使用され、流体サンプルの分析対象物濃度を決定することの一部として、センサを介してサンプルにシグナルを印加できるものとして、分析対象物濃度測定装置（例えば、血糖測定機器）内に挿入される。センサは、通常、製造施設において較正されたバッチにおいて製造される。コーディング情報を、分析対象物濃度測定装置（例えば、血糖測定機器）によって読み出すまたは別な方法で決定することができるセンサに印加することができる。いくつかの態様において、較正情報は、センサに受け入れられたサンプルに検査シグナルを印加する測定装置内へのセンサの挿入に続いて、装置によって受信される。
【００１６】
較正情報を使用して、センサにエンコードされたおよび分析対象物濃度測定装置によって読み出された一つ以上の較正パラメータ（例えば、製造バリエーション、センサ使用期限期日）に応じて、分析対象物濃度決定の分析を調節することができる。本開示の望ましい態様は、増大した量の較正情報をセンサにエンコードすることによって、分析対象物濃度測定の正確性を改善する能力である。増大した量の較正情報は、増大した数の較正コードが読み出され、流体サンプルの分析対象物濃度の決定に関連する記憶された式を補正するために処理される場合に、測定装置のセンサコネクタまたはセンサインターフェース内にセンサが挿入された後、測定装置によって読み出すことができる。較正コードは、センサそれ自体に特有かつ存在し、例として、製造バリエーション、センサストリップ使用期限情報および流体サンプルの分析対象物濃度を決定するときに補正できる他の態様を踏まえた較正パラメータをさらに包含することができる。
【００１７】
センサ、例えば、生体液サンプル（例えば、血液）を検査するのに使用されるものは、およそ０．５〜１．５インチ（およそ１２〜３８mm）長に準拠する、およそ０．１〜０．５インチ（およそ２．５〜１２．７mm）幅に及ぶ概して矩形寸法を包含することができる。いくつかの態様において、フラット検査センサの上表面面積は、およそ０．０５〜０．７５平方インチ（およそ３０〜４８３mm2）に及ぶことができる。センサは、通常、流体受入エリアおよびセンサと分析対象物濃度測定装置とを電気的に接続するためのコンタクトエリアを包含する。生体液サンプリングのための比較的小さなサイズのセンサ、例えば、血糖濃度を決定するためのセンサに基づき、センサから読み出すおよび分析対象物濃度を決定するのに使用できる較正情報を用いてセンサをエンコードするために存在するスペースは、非常に限定された量である。
【００１８】
パラレルコードパターンの適用は、特定のセンサストリップ上の小さな表面積でも使用できる。しかし、パラレルコーディングは、限定された数のコードバリエーション（例えば、通常、生体液、例えば、血液のためのセンサストリップにおよそ８個）しか有さない。さらに、パラレルコーディングは、パターン全体が一度に読み出されるように、測定装置のセンサポート内へのコーディングパターン全体の挿入を要する。順次コードパターンも使用されることができ、これは、通常、パラレルコーディングに利用可能なものよりも高い数（例えば、血液のような生体液のためのセンサストリップのために最高１５個まで）のコードバリエーションを提供することができる。しかし、順次コーディングは、通常、検査センサ、例えば、生体液サンプル（例えば、血糖サンプル）に使用される通常の検査センサにおけるコーディングに利用可能な限定された表面積に対してかなりの量のスペースを要する。例として、順次コーディングを使用したコードバリエーションの数を増大（例えば、１５個よりも多く）するために、センサストリップの全長を増大することが要求され、測定装置においてより大きいセンサポートが要求されるであろう。較正コーディングパターンを収容するための、センサストリップに要求されるエリアは限定されるが、分析対象物濃度決定の正確性をより大きくするために、多くの数の異なる較正コードを用いてセンサストリップをエンコードすることが望ましいであろう。本開示は、光学的パターン読み取り装置を用いて光学的に透明なコーディングパターンを読み出すことができる光学的方法を使用して、センサストリップの非常に限定されたスペース内に、何百、何千さえもの較正コードを具現化する能力を提供する。より多くの数の較正コードが可能になることによって、分析対象物濃度を計算するための式を補正するためにより多い因数を使用できるので、分析対象物濃度測定の正確性が増大する。較正コードの増大によって、より多くのセンサ特有の補正、例えば、製造におけるバリエーションまたは補正されないと分析対象物濃度決定の正確性の低下を招くことがある他のセンサ特有の因数（例えば、試薬特性、センサの使用期限期日、バッチ数の補正）が可能になる。
【００１９】
ここで図１および図２を参照すると、較正コーディングを包含する例示的なバイオセンサ１００（例えば、検査センサ、センサストリップ）の上面図および側面図が例証される。例示的なバイオセンサ１００は、概してフラットな、伸長ストリップとして図示するが、他の形状（例えば、分岐した端、先細りの端、台形部分、それらの形状の組み合わせ）も検討される。バイオセンサは、流体受入エリア１２８およびポート挿入領域１２６を包含する。流体受入エリア１２８は、流体サンプル、例えば、生体液のサンプルを受け入れるように構成されたチャネル１２４を包含する。チャネル１２４は、毛細管作用が流体受入エリア１２８のチャネル内に流体サンプルを引き込むようなサイズに形成できる。バイオセンサ１００のポート挿入領域１２６が計器または測定機器内に挿入された後、受け入れられた流体サンプルを検査して、計器または測定機器を使用して分析対象物濃度を決定することができる。
【００２０】
本明細書に記載した非限定的な例示的なセンサ（例えば、バイオセンサ１００）は、電気化学的検査センサであることができることが検討される。そのような実施態様においては、分析対象物測定機器は、光学的、機械的または光学的態様を有し、較正情報および電気化学的態様を検出して流体サンプルの分析対象物濃度を決定することができる。図１にはバイオセンサの上面図しか例証しないが、そのようなバイオセンサは、チャネル１２４の形成を支援するベースおよび第２の層（例えば、ふた）を包含することができる。バイオセンサ１００は、流体受入エリア１２８内に複数個の電極（図示せず）、例えば、対電極、作用電極、トリガー電極、アンダーフィル検出電極またはヘマトクリット電極も包含することができる。電極は、流体受入エリア１２８からポート挿入領域１２６におけるバイオセンサコンタクト１２２ａ、１２２ｂまで延在する導電リード（図示せず）に連結される。電極は、ベースとふたとの間に少なくとも部分的に埋め込むことができ、導電リードは、バイオセンサのベースおよびふた内において、電極から流体受入領域におけるバイオセンサコンタクト１２２ａ、１２２ｂまで延在することができる。例証したもの以外の電気化学的検査センサも採用できることが検討される。
【００２１】
流体受入エリア１２８は、流体サンプル（例えば、血液）中の対象となる分析対象物（例えば、グルコース）を、発生する電気的電流に関して、電極パターンのコンポーネントによって電気化学的に測定可能な化学種に変換するための少なくとも一つの試薬を包含する。試薬は、通常、電極によって検出できる電気化学的に測定可能な種を発生するために、分析対象物および電子受容体、例えば、フェリシアン化物塩と反応する酵素、例えば、例として、グルコース酸化酵素を含有する。グルコース、例えば、グルコース脱水素酵素と反応する他の酵素も使用できることが検討される。もう一つの分析対象物の濃度を決定すべき場合には、分析対象物と反応する適切な酵素が選択される。
【００２２】
流体サンプル（例えば、血液）は、チャネル１２４におけるまたはその付近の流体受入エリア１２８に適用することができる。流体サンプルは、チャネルを通って進行し、そこで少なくとも一つの試薬と反応する。試薬との反応後、複数個の電極と連動して、流体サンプルは、分析対象物濃度の決定を支援する電気的シグナルを発生する。導電リードは、電気的シグナルを、バイオセンサ１００の第２の反対側の端の方、例えば、ポート挿入領域１２６に戻して運び、そこで、バイオセンサが測定機器内に挿入されたときに、バイオセンサコンタクト１２２ａ、１２２ｂが電気的シグナルを測定機器内に移す。
【００２３】
先に論じたように、センサは、電気化学的分析を使用してサンプル中の分析対象物を分析することができる。センサは、光学的分析または光学的方法と電気化学的方法との組み合わせを使用してサンプル中の分析対象物を分析することができることも検討される。先に論じたように、電気化学的分析期間に、生体液のサンプルに励起シグナルが印加される。励起シグナルは、電位または電流であることができ、一定、可変またはそれらの組み合わせであることができる。励起シグナルは、単一パルスもしくは多重パルス、シーケンスまたはサイクルとして印加することができる。例えば、アンペロメトリー、電量分析、ボルタンメトリー、ゲート化アンペロメトリー、ゲート化ボルタンメトリーなどのさまざまな電気化学的処理を使用することができる。
【００２４】
光学的検査センサシステムは、分析対象物濃度を測定するための技術、例えば、透過分光法、拡散反射率、分光法または蛍光分光法を使用することができる。試薬と分析対象物との間の反応がサンプルにおける色彩の変化を招くので、インジケータ試薬システムと体液のサンプル中の分析対象物とが反応して、色反応を発生する。色彩変化の程度は、体液中の分析対象物濃度を表す。
【００２５】
光学的検査センサは、自動較正情報およびサンプル受入エリア（例えば、流体受入エリア）を包含することができる。サンプル受入エリアは、流体サンプル内の分析対象物にさらされた後に色反応を発生するように適応するインジケータ試薬システムを包含する。試薬は、乾燥させ、その後、サンプル受入エリアにおけるサンプルと混合させることができる。あるいは、試薬は、サンプルに堆積させることができまたは、サンプルがサンプル受入エリアに受け入れられた後に堆積させることができる。
【００２６】
光学的分析は、一般的に、化学インジケータと分析対象物との反応によって吸収または生成された光の量を測定する。反応速度を高めるために化学インジケータに酵素を包含させることができる。光学的システムからの光は、検出器によって電気的シグナル、例えば、電流または電位に変換することができる。
【００２７】
光吸収光学的分析において、化学インジケータは、光を吸収する反応生成物を発生する。光源からの入射励起ビームがサンプルの方へ導かれる。入射ビームは、サンプルから戻って反射することができまたは、サンプルを通って検出器もしくはセンサに伝送されることができる。検出器は、減衰された入射ビームを収集および測定する。反応生成物によって減衰した光の量は、サンプル内の分析対象物濃度の表示である。
【００２８】
光生成光学的分析において、化学インジケータは、酸化還元反応期間に、分析対象物に応じて蛍光を発するまたは光を放出する反応生成物を発生する。検出器は、生成した光を収集および測定する。化学インジケータによって発生した光の量は、サンプル内の分析対象物濃度の表示である。
【００２９】
バイオセンサは、様々な材料、例えば、高分子材料から作ることができる。バイオセンサのベース、ふたおよび任意のスペーサを形成するのに使用できる高分子材料の非限定的な例は、ポリカーボネート、ポリエチレンテレフタレート（ＰＥＴ）、ポリエチレンナフタレート（ＰＥＮ）、ポリイミドおよびそれらの組み合わせを包含する。バイオセンサのベース、ふたおよび／またはスペーサを形成するのに他の材料も使用できることが検討される。
【００３０】
バイオセンサを形成するために、ベース、スペーサおよびふたは、例として、接着剤またはヒートシーリングによって貼り付けられる。ベース、ふたおよび／またはスペーサが貼り付けられると、流体受入エリア１２８およびチャネル１２４が形成される。流体受入エリア１２８は、流体サンプルをバイオセンサ内に導き入れるための流路を提供する。
【００３１】
図１に図示する例示的なバイオセンサ１００は、バイオセンサ１００の第１の側面１１２に概して沿って配列された順次較正コードパターン１３０も包含する。順次較正コードパターン１３０は、そこを通じて光波を伝送可能な、光学的に透明な部分（例えば、１３２）を包含する。バイオセンサ１００は、バイオセンサ１００の第２の側面１１４に概して沿って配列された同期コードパターン１４０をさらに包含する。同期コードパターン１４０は、それらの間に光学的に非透明な部分をもつ、パターン１４０に沿って概して等間隔に設けられた光学的に透明な孔をもつ、そこを通って光波を伝送可能な、光学的に透明な部分（例えば、１４２）も包含する。順次較正コードパターン１３０および同期コードパターン１４０は、バイオセンサ１００の２つの反対側の側面１１２、１１４における２つのパラレルストリングとして図示するが、同期コードパターン１４０が順次較正コードパターン１３０に対応する限りは、ストリングは、互いからオフセットできまたはそれぞれのパターン１３０と１４０との間に少なくともいくつかのセパレーションまたは障壁をもち互いに隣接さえもして位置できることが検討される。これらの２つのパターン１３０と１４０との間の対応は、図２〜図６との関連を包含してより詳細に以下に論じられるように、分析対象物測定機器の受入ポート内へのポート挿入領域１２６の挿入期間に順次較正コードパターン１３０の同期を提供する。
【００３２】
センサにおいて順次較正コードパターンと、対応する同期コードパターンとを組み合わせることの利益は、生体液のサンプリングおよび分析対象物測定機器内へのセンサの挿入がそれでもなお可能であるが、検査センササイズを依然として比較的に変化させないことが可能な限定されたエリア内において、多くの数の異なる較正コードをセンサにエンコードできることである。例として、バイオセンサ１００およびそれらのバリエーションの非限定的な実施態様では、分析対象物測定機器に付随する光学的パターン読取機を用いて読み出すことができる光学的に透明なコーディングパターンの使用を通して、バイオセンサ１００の非常に限定されたスペース内に何百から何千もの較正コードが存在可能である。パターン１４０に沿う例証した１６個の光学的に透明な同期孔によって、最高６５，５３６個（すなわち、測定機器がバイナリにおいて動作している前提で２の１６乗）までの、分析対象物濃度決定に補正を適用するための異なる較正コードを利用できる。同期孔を半分しか使用しなかった場合には、最高２５６個（すなわち、測定機器がバイナリにおいて動作している前提で２の８乗）までの異なる較正コードを利用可能であろう。同様に、４分の１の同期孔しか使用しなかった場合には、最高１６個（すなわち、測定機器がバイナリにおいて動作している前提で２の４乗）までの異なる較正コードを利用可能であろう。したがって、利用可能な較正コードの数は、センサに配列された同期孔の数に指数関数的に関する。順次較正コーディング方法を使用してほとんど限定されない数の較正コードを提供できるが、同期コーディングの追加によって、本来ならパラレルコーディング方法によって占有されるであろうセンサストリップ上の同じ量の表面積内でこれを行うことが可能である。利用可能な較正コードの数のかなりの増大によって、分析対象物濃度測定の正確性および精密性が増大する。
【００３３】
バイオセンサは、検査センサ材料における開口または穴部（例えば、１３２、１４２）によって形成された、順次較正コードパターンの少なくとも一部または同期コードパターンの少なくとも一部を包含することができる。パターンは、非透明な部分によって分離された光学的に透明な材料を使用しても形成できる。同期コードパターンにおいて、開口または光学的に透明な孔は、例として、等間隔に分配された光学的に非透明な材料によって各々が分離された等間隔に分配された孔を同期コードパターンが有する、同期コードパターン１４０に例証するような順次様式における仕方で等間隔に設けられて配置される。等間隔に設けられた同期コードパターンは、較正コーディングパターンと同期されたクロックパルスの機能を果たす。較正コードパターンは、センサ上に順次様式で配置されるが、等間隔に設けられなくてもよい開口または光学的に透明な材料も包含することができ、較正コードに関連するパターンを作り出すための、非透明な部分によって分離された一連のより大きい開口または光学的に透明な孔も包含することができる。パターンは、光学的パターン読取機を使用して読み出すことができる。特定の態様において、順次較正および同期コードパターンは、その各々が組み合わさって較正または同期パターンを含む、光学的に非透明な部分と光学的に透明な孔との組み合わせによって決定された特定の全長を有する。いくつかの態様において、同期目的のために２つのパターンが互いにどのように対応するかに依存して、センサ上の同期コードパターンは、順次較正コードパターンと大体同じ全長であることができる。
【００３４】
図１に例証するように、順次較正コードパターン１３０は、同期コードパターン１４０とパラレルにセンサ上に配列することができる。図１では、パターン１３０、１４０は、検査センサの反対側の側面１１２、１１４に配列される。順次較正コードパターンは、センサの光学的に非透明な部分によって同期コードパターンとパラレルにかつ物理的に分離してセンサに配列される。しかし、同期コードパターンが較正コードパターンに対応する限り、コードパターン１３０、１４０を、検査センサ上の他の場所に配列できることが検討される。
【００３５】
いくつかの態様において、検査センサが第１の側面および反対側の第２の側面を有するポート挿入領域を包含することができることが検討される。順次較正コードパターンを、第１の側面（例えば、センサの縁）とパラレルにかつそれに沿って方向づけ、同期コードパターンを、第２の側面（例えば、センサのもう一つの縁）とパラレルにかつそれに沿って方向づけることができる。特定の態様において、順次較正コードパターンおよび同期コードパターンは、その各々が第１の側面および第２の側面に沿ってストリップに配列された開口を包含する。コードパターンの開口の各々は、開口のすべての側面（または、いくつかの事例では、すべての側面未満、例えば、開口の３つの側面のみ）が検査センサによって画定される概して矩形であることができる。
【００３６】
較正および同期コードパターンによって占有される検査センサの表面積は、それでもなお多くの数の較正コードを提供しているが、本開示によって記載された特徴を適用することによって最小限にすることができる。最高約６５，５３６個までの較正コードを提供する構成において、いくつかの態様における順次較正コードパターンは、センサの上部表面面積の０．０４平方インチ未満を占有する。いくつかの態様において、順次較正コードパターンは、センサの上部表面面積の０．０２平方インチ未満を占有する。いくつかの態様において、同期コードパターンは、センサの上部表面面積の０．０４平方インチ未満を占有する。いくつかの態様において、同期コードパターンは、センサの上部表面面積の０．０２平方インチ未満を占有する。いくつかの態様において、順次較正コードパターンおよび同期コードパターンは、共に、センサの上部表面面積の０．０６平方インチ未満を占有する。特定の態様において、順次較正コードパターンおよび同期コードパターンは、共に、センサの上部表面面積の０．０３平方インチ未満を占有する。
【００３７】
ここで図２を参照すると、バイオセンサ１００の例示的な側面図がバイオセンサ１００にエンコードされたデータを取得するのに使用される光学的パターン読取機の一部であることができる人工の光源１６０および光センサ１７０とともに図示される。いくつかの態様において、人工の光源１６０は、発光ダイオード（ＬＥＤ）または分析対象物濃度検査の分野における光学的読取機のための既知のもう一つの光源であることができることが検討される。光センサ１７０は、フォトセンサ、光検出器のアレイまたは分析対象物濃度検査の分野における光学的読取機のための既知のもう一つの光検知センサであることができることが検討される。
【００３８】
検査センサは、コーディングパターンを形成する複数個の開口（例えば、１３２、１４２）を包含することができる。開口（例えば、１４２）は、図２の側面図においてクリアな（ふたがされていない）エリアとして図示される。同期コードパターン１４０は、図１に例証され、図２に例証される断面図は、開口の各々が等間隔に設けられ、図１に例証された較正コードパターン（例えば、１３０）に対応する複数個の同期コード開口を示す。２つのパターン間の対応は、図６に関して例証し、より詳細に記載する。すべてではないが、センサにコードできる存在し得る開口をもつ、較正コードパターン１３０の一つの非限定的な例を図１に示す。どの開口が較正コードパターンを形成するかの選択によって、センサ特有の較正情報に関連する、測定機器または計器に伝達される較正コードが決定される。
【００３９】
開口１３２、１４２は、検査センサの切断またはパンチングによって形成することができる。切断またはパンチングは、レーザ、機械的パンチング、ダイス切断によってまたは水ジェットを使用して実行することができる。開口１３２、１４２の形状は、薄い概して矩形スリットとして示す。本開示によって検討される他の形状は、概して矩形形状とは異なる形状、例えば、図１〜図９に図示するものを包含する。
【００４０】
複数個の光学的に透明な孔（例えば、１３２、１４２）、例えば、開口を組み合わせてそれぞれのコーディングパターンを形成することが検討される。光学的に透明な孔は、センサ（例えば、１００）全体を通して延在する開口、センサを通して延在する光学的に透明な材料から、あるいはセンサを部分的におよび光学的に透明な材料の残りの部分を通して延在する開口の組み合わせを通して形成された透明な孔を包含することができる。光学的に透明な孔によって、光は、センサの反対側の側面を通して伝送されるおよびそこで検出されることが可能になる。使用することができる光学的にクリアなまたは半透明材料の非限定的な例は、「ホワイトな」もしくはクリアなポリエチレンテレフタレート（ＰＥＴ）、「ホワイトな」もしくはクリアなポリカーボネートまたは「ホワイトな」もしくはクリアなグリコール変性ＰＥＴ（ＰＥＴＧ）を包含する。あるいは、光学的にクリアな基材は、光学的に透明な孔を形成するためにその後選択的に除去される不透明なコーティングによって覆うことができる。そのような不透明なコーティングの例は、金属、例えば、真空蒸着、スパッタリングまたはめっきによって形成されたアルミニウム、金または銅およびコーティングまたは印刷できる炭素である。
【００４１】
図２に例証される光源１６０は、光源および複数個の光センサ（例えば、１７０）の一つ以上を包含する光学的パターン読み取り装置の一部であることができる。人工の光源１６０は、光源からの光ビーム１８０が光センサ１７０によって受け入れられるように、ＬＥＤによって生成された光を狭いマスク孔１６８を通して、コードを画定する光学的に透明な孔内に導くような形状の光マスク１６４によって覆うことができる発光ダイオード（または、他のタイプの光源）１６２を包含することができる。光センサ１７０は、フォトセンサ１７２または狭い光受入孔１７８をさらに包含することができるセンサマスク１７４によって覆うことができる他の光検知要素を包含することができる。マスク１６８、１７８の使用は、光ビーム１８０を光学的に透明なコード孔内に直接導くためにおよび光センサ１７０による誤検出を与えることがあるもう一つの光源からの任意の逸脱した光の受け取りを最小限にするまたは防止するためにも、有益となり得る。マスクは、少なくとも光源に対して構成することもでき、これにより放出された光ビームは、光学的に透明な孔（例えば、開口）の最小寸法よりも狭くなる。図２は、同期コードパターンを通した断面を例証するが、光源および光センサの特徴ならびに光学的に透明な孔（例えば、１３２、１４２）を通して光を伝送する態様は、同期および較正コードパターン両方において概して同じである。
【００４２】
人工の光源１６０および光センサ１７０は、生体液中の分析対象物濃度を決定するためのバイオセンサシステムの一部であることができる。バイオセンサシステムは、光学的パターン読み取り装置に接続されたプロセッシングユニットを包含する測定装置を包含することができる。光学的パターン読み取り装置は、一つ以上の光源および複数個の光センサを包含することができる。センサストリップ、例えば、図１および図２に例証するセンサ１００は、第１の光学的に透明な孔（例えば、１３２、１４２）を包含するシーケンシャルデータコーディングパターンおよび第２の光学的に透明な孔を包含する分離した対応する同期コーディングパターンを包含する。一つ以上の光源（例えば、１６０）は、光波を第１のおよび第２の光学的に透明な孔（例えば、１４２）を通して伝送するように構成できる。一つ以上の光源は、第１のおよび第２の光学的に透明な孔の第１の側面に少なくとも部分的に位置付けられる。複数個の光センサ（例えば、１７０）のうちの一つは、第１の光学的に透明な孔（例えば、１３２）の反対の側面に位置付けられ、複数個の光センサのうちのもう一つは、第２の光学的に透明な孔（例えば、１４２）の反対の側面に位置付けられる。光センサ（例えば、１７０）は、一つ以上の光源から伝送された光波を受け入れるように構成される。光センサは、シーケンシャルデータコーディングパターンおよび同期コーディングパターンに関連する光学的に透明な孔を通して伝送された光波または光ビームに応じて、パルスのシーケンスを生成する。
【００４３】
いくつかの態様において、一つ以上の人工の光源は、単なる単一光源（例えば、１６０）であることができる。ＬＥＤ光源（例えば、１６２）からの光を受け入れ、光源からの光ビームを光学的に透明な孔に向け直すための複数個の光ガイド（図示せず）を採用することができる。一つの光ガイドが光ビームを較正コードパターンに導き、もう一つの光ガイドがスプリット光ビームを同期コードパターンに導くことができる。光ビームは、複数個の光ガイド内の全内部反射によって導かれる。光ビームを、さらに、光ガイド（複数可）に存在する反射面によって向け直すことができることも検討される。複数個の光ガイドは、さらに、光学的に透明な孔の最小寸法よりも狭い光ビームを放出するように構成できる。
【００４４】
いくつかの態様において、一つ以上の光源は、２つの光源（例えば、ＬＥＤ）を包含できる。一つの光源を、光波が第１の光学的に透明な孔を通って、順次較正コードパターンに関連し得る第１の光センサ内に伝送されるように位置付けることができる。他の光源を、光ビームが第２の光学的に透明な孔を通って、順次同期コードパターンに関連する第２の光センサ内に伝送されるように位置付けることができる。
【００４５】
ここで図３および図４を参照すると、光学的パターン読み取り装置３８０を包含するセンサインターフェース３９０内に挿入された、順次光学的コーディングをもつセンサストリップ３００の上面図および側面図が例証される。センサ３００は、ポート挿入領域３２６および流体受入エリア３２８を包含する。図３および図４に例証するように、センサ３００のポート挿入領域３２６は、センサインターフェース３９０内に挿入できる。センサ３００がセンサインターフェース３９０内に挿入されると、コンタクト３９４ｂが押し上げられてコンタクト３９４ａに触れて検出回路を完成するように、センサ検出コンタクト３９４ａ、３９４ｂが回路を完成する。センサ検出コンタクト３９４ｂの第１の端３９６は、センサが最初に挿入され、かつセンサが光学的パターン読取機の下に設置される前のセンサインターフェースの部分に位置付けることができる。コンタクト３９４ａと３９４ｂとの間の回路の完成によって、センサ３００がセンサインターフェース内に挿入されたときに光源（複数可）３６０から光センサ（複数可）３７０への光の伝送を始める、光学的パターン読み取り装置３８０への命令を起動する制御器または他のプロセッシングユニットは、シグナルを受信する。光の伝送および受け入れは、較正コードパターンおよび対応する同期コードパターンが光源−光センサ配置によって作り出された光ビームを通ることが起こるように構成される。
【００４６】
センサ３００がセンサインターフェース内に挿入されると、コードパターンが光学的パターン読み取り装置によって読み出され、これにより流体受入エリアに受け入れられた流体サンプルについての分析対象物濃度を決定するための式に使用するための較正コードを決定することができる。センサ３００は、流体受入エリア３２８において受け入れられた流体サンプルについての分析対象物濃度に関連する値を電気化学的に決定するのに使用される、センサインターフェースコンタクト３９２ａ、３９２ｂとともに回路を完成するコンタクト３１２ａ、３１２ｂを包含する。センサインターフェースは、生体液中の分析対象物濃度を決定するためのバイオセンサシステムにおける測定装置に付随することもできるし、その一部であることもできる。例として、センサインターフェースは、血糖測定機器またはもう一つの分析対象物測定機器の一部であることができ、そのような測定機器のセンサ受入エリアのすべてまたは一部を含む。
【００４７】
いくつかの態様において、センサストリップ検出システムが測定装置、例えば、分析対象物測定機器のポート内に挿入されたセンサストリップを検出することが検討される。センサストリップは、シーケンシャルまたは順次データコーディングパターンおよび同期コーディングパターンの光学的読み取りを開始する直前に検出システムによって検出される。
【００４８】
光源（例えば、１６０、３６０）および光センサ（例えば、１７０、３７０）を包含する光学的パターン読み取り装置（例えば、３８０）は、バイオセンサに配列された順次較正および同期コードについての微細な光学的に透明な孔のアレイを通した光学的伝送を測定するように構成される。いくつかの態様において、例として、図２および図４に例証するように、光センサ（または光受信器）は、人工の光源によって生成された光ビームがセンサにおける光学的に透明な孔に最初に入るところとは反対の側面においてセンサに配列される。センサにおいて順次同期コードパターンおよび順次較正コードパターン両方を読み出すのに、人工の光源および光センサの類似の配置が適用可能であることが検討される。図３および図４の非限定的な実施態様に例証されるように、センサが移動しているまたはポートもしくはセンサインターフェース内に挿入されると、光センサ（例えば、３７０）は、光源から伝送された人工の光ビームのそれらの受け取りまたは欠如に応じて、パルスのシーケンスを生成する。センサによる人工の光ビームの受け取りは、光学的に透明な孔（例えば、コーディングに関連する開口）が光源と受信器との間に存在するときに起こる。人工の光の受け取りの欠如は、光学的に非透明な部分がセンサ上に、例として、２つの光学的に透明な孔の間に配列され、光ビームが光センサによって受け入れられることが阻止されたときに起こる。
【００４９】
光学的パターン読み取り装置は、検査センサについての較正コードを決定するためのデータパルスを処理するマイクロコントローラを包含する（または、マイクロコントローラまたはもう一つのプロセッシングユニットに付随する）ことができることが検討される。受信した較正データパルスは、多くの数の較正コードが限定されたスペースにおいて利用可能になるように、同期パルスに対応する。例として、センサストリップが測定装置内に挿入されている間、光波または光ビームは、第１のおよび第２の光源両方によって伝送され、順次またはシーケンシャル較正コードパターンに関連する第１の光センサおよび順次またはシーケンシャル同期コードパターンに関連する第２の光センサによって受け入れられることができる。第２の光センサによって受け入れられた光波または光ビームは、第１の光センサによって受け入れられた光波のための同期を提供する。
【００５０】
ここで図５および図６を参照すると、例示的なセンサストリップ５００の非限定的な上面図が光学的読み取り特徴、例えば、較正光源５８０および同期光源５６０を有するセンサインターフェース５９０に隣接して図示され、この光源の各々は、センサの通行、より具体的には、それぞれの例示的な順次較正コードパターン５３０および例示的な順次同期コードパターン５４０の通行が可能な小さなギャップをそれらの中間にもつ、光源とは反対のそれぞれのセンサ（図示せず）を有する。同期コードパターン５４０は、第１の光学的に透明な孔５４２ａ、それに続く一連の追加の等間隔に設けられた光学的に透明な孔および端となる最後の光学的に透明な孔５４２ｂを包含する。同期コードパターンにおける各々の孔は、（例えば、一つ以上の光源と光センサとの組み合わせを包含する）光学的パターン読取機によって識別可能な、光学的に透明な孔の始まりおよび後ろに対応する前側面（例えば、５４４ａ）および後側面（例えば、５４４ｂ）を包含する。
【００５１】
図５は、順次較正コードパターン５３０に関連する光センサによって生成された「順次データ」シグナルおよび順次同期コードパターン５４０に関連する光センサによって生成された対応する「同期」シグナルのタイプの非限定的な例も例証する。同期コードパターンの第１のパルスシグナル５５２ａは、例示的な第１の孔５４２ａに対応し、最後のパルスシグナル５５２ｂは、例示的な最後の孔５４２ｂに対応する。パルスの初期スパイク（例えば、５５４ａ）は、コードパターン孔の前側面（例えば、５４４ａ）を識別する光学的パターン読取機に対応し、後スパイク（例えば、５５４ｂ）は、同じコードパターンの後側面（５４４ｂ）を識別する光学的読取機に対応する。同期および較正コードパターンならびに２つの間の対応についての非限定的な例示的な態様のより詳細は、コードパターンから生成されるバイナリデータの決定とともに図６に図示する。
【００５２】
図５および図６に例証するように、シーケンシャルまたは順次データコーディングパターン（例えば、５３０）および同期コーディングパターン（例えば、５４０）によって、一連の対応するポジティブ（例えば、「１」）およびネガティブ（例えば、「０」）コードシグナルが光学的読み取りヘッド装置によって生成される。これらのコードシグナルは、プロセッシングユニットによって受信され、バイナリ形態（例えば、「０」および「１」）において処理される。コードシグナルは、センサストリップが測定装置内に挿入されている間に受信される。測定装置（例えば、分析対象物測定機器）およびセンサストリップは、シーケンシャルデータコーディングパターンから決定された較正コードに関連する少なくとも一つの相関式を有する分析対象物分析を具現化するように構成される。プロセッシングユニットは、光学的パターン読み取り装置から受信した、生成されたコードシグナルに応じて、少なくとも一つの相関式を較正するように構成される。プロセッシングユニットは、さらに、少なくとも一つの較正された相関式に応答して、分析対象物濃度を決定するように構成される。
【００５３】
同期コードパターンは、検査センサに配列されたおよそ８個〜およそ１６個またはより多くのシーケンシャルのおよび等間隔に設けられた光学的に透明な孔を包含することができることが検討される。等間隔に設けられた同期コード孔（例えば、５４０）の各々は、同じ検査センサ上の、較正コードパターン（例えば、５３０）を含む一連のシーケンシャルの光学的に透明な孔のうちの一つおよび非透明な位置に対応する。
【００５４】
ここで図６を参照すると、（類似の順次データおよび同期コーディングを包含する）図５に例証するセンサに類似する、ポート挿入領域を包含する検査センサの一部が図示される。このコード化検査センサの非限定的な例は、検査センサに配列された光学的に非透明な部分６３２ｂ、６３２ｄ、６３２ｆ、６３２ｈによってそれぞれが分離された一連の光学的に透明な孔６３２ａ、６３２ｃ、６３２ｅ、６３２ｇ、６３２ｉを包含する。検査センサは、方向６７０において、分析対象物測定機器のポートまたは孔内に挿入することができる。検査センサがポート内に挿入されると、光学的パターン読み取り装置の光センサによってシグナルが生成される。生成されたシグナルは、図６に例証する「順次データ」によって図示される。例として、図２において記載したように、較正コード孔６３２ａが光源と光センサとの間を通ると、光源から伝送された光ビームの受信に応じて、光センサによってポジティブシグナルが生成される。ポジティブシグナルは、光センサまたは光学的パターン読み取り装置に付随（例えば、接続）するプロセッサ（例えば、マイクロコントローラ）によって「１」としてバイナリ形態において解釈することができる。次に、光学的に非透明な部分６３２ｂが光源と光センサとの間を通ると、光源からの光ビームが受信されないので、光センサによってネガティブシグナルが生成される。ネガティブシグナルは、プロセッサによって「０」としてバイナリ形態において解釈することができる。
【００５５】
順次較正コードパターンからの順次データの生成とほぼ同時に、対応する同期コードパターンが読み出され、光センサは、較正コーディングパターンの対応する光学的に透明な孔および光学的に非透明な部分のそれぞれの位置についてのクロッキングシステムの機能を果たすシグナル（例えば、「同期」）を生成する。例として、光学的に透明な同期コード孔６４２ａは、光学的に透明な較正コード孔６３２ａに対応するように「クロック」される。光学的に非透明な同期部分６４２ｂは、光学的に非透明な較正部分６３２ｂに対応するように「クロック」される。いくつかの態様において、同期コードパターンは、光学的に透明な孔と類似したサイズの、光学的に非透明な材料のギャップと直列に等間隔に設けられた一連の類似サイズの光学的に透明な孔を含む。
【００５６】
ここでもまた図６における検査センサについての較正コード孔を参照すると、光学的に非透明な部分６３２ｂによってネガティブシグナルが生成された後、光学的に透明な孔６３２ｃを形成する一連の較正位置によって、光学的に透明な同期コード孔についての、同期光センサによって生成されたクロッキングまたは同期シグナルに対応する一連のポジティブシグナルが光学的パターン読み取り装置によって生成される。孔６３２ｃの非限定的な例では、生成されたポジティブシグナルは、プロセッサによって「１−１−１−１」のバイナリ形態において解釈される。これに続いて、もう一つの光学的に非透明な部分６３２ｄを形成する一連の較正位置によって、部分６３２ｄに関連する一連の較正位置に対応する同期コード孔についての、同期光センサによって生成されたクロッキングまたは同期シグナルに対応する一連のネガティブシグナルが光学的パターン読み取り装置によって生成される。生成されたネガティブシグナルは、プロセッサによって「０−０−０」のバイナリ形態において解釈される。シグナルの類似の生成およびその結果として起こるプロセッサ解釈は、それぞれの同期コード孔に対応して、孔６３２ｅ、６３２ｇ、６３２ｉおよび部分６３２ｆ、６３２ｈについて起こる。
【００５７】
同期コード孔の数によって、検査センサにおいて可能な較正コードの数が決定される。例として、図６は、特にその較正位置についてポジティブ、ネガティブシグナルが生成されるかどうかに依存する「１」または「０」のいずれかであり得る１６個の較正コード位置を包含するパターンが可能な１６個の等間隔に設けられた同期コード孔（例えば、６４２ａ）を包含する。これは、この非限定的な実施態様における可能な較正コードの最大数が６５，５３６個のコード（すなわち、２＾１６）であることを意味する。同期コード孔の数を追加または除去することによって、より多いまたはより少ない較正コード、したがって、較正コード位置の数を追加または除去することが可能である。可能な較正コードの数によって、各々の追加または除去される同期孔が（本開示に例証した例示的なバイナリ態様における２つの因数によって）指数関数的に増大および減少する。さらに、図５および図６は、「１０１１１１０００１０１０００１」のバイナリ較正コードに対応する生成された較正シグナルを図示するが、これは、検査センサ上の較正コーディングパターンを含む光学的に透明な較正孔と光学的に非透明な較正部分との順次パターンを変化させることによって生成できる（例えば、００００００００００００００００〜１１１１１１１１１１１１１１１１に及ぶ）６５，５３６の較正コードのうちの単なる一つである。
【００５８】
ここで図７および図８を参照すると、検査センサ７００、８００の２つの非限定的な例示的な態様が図示されている。検査センサ７００、８００は、センサストリップ内に開口（例えば、７３２、８３２）をパンチングすることによって作り出された光学的に透明な順次データコーディングパターンを包含する。検査センサ７００、８００は、センサストリップ内に開口（例えば、７４２、８４２）をパンチングすることによっても作り出された光学的に透明な同期コーディングパターンも包含する。順次データコーディングにおける開口（例えば、７３２、８３２）は、センサについての較正コードおよび較正コーディングに従う所与の位置がポジティブまたはネガティブシグナルを生成することを意図されているか否かに依存して、様々なサイズであることができる。したがって、所与の開口が一連のポジティブシグナル（例えば、「１−１−１」）を提供するようにコーディングされている場合には、その開口は、先行する単一ポジティブシグナル（例えば、「１」）のみを提供するようにコーディングされ、ネガティブシグナル（例えば、「０」）を生成するように意図された一つ以上の部分がそれに続く開口よりも幅広である。同期コーディングパターンのための開口（例えば、７４２、８４２）は、概して同じサイズであり、順次様式において等間隔に設けられる。センサ７００における開口７３２、７４２は、概して矩形であり、センサ７００内において全体に配列され、センサ材料が各々の開口の周囲を形成する。センサ８００における開口８３２、８４２は、概して正方形または矩形であり、センサ８００の周囲に沿って配列され、センサ材料は、各々の開口の部分的な周囲しか形成しない。開口７３２、７４２、８３２、８４２については概して矩形形状において図示するが、光学的パターン読取機の分野において理解されるであろう、他の形状も使用できることが検討される。
【００５９】
ここで図９を参照すると、印刷されたコーディングパターン９３０、９４０をセンサストリップの透明なエリア９３４、９４４に設置することによって作り出された光学的に透明な順次データコーディングパターンおよび同期コーディングパターンを包含するセンサストリップ９００が図示される。先に記載した他のセンサと同様に、センサストリップ９００は、ポート挿入領域９２６および流体受入エリア９２８を包含することができる。ポート挿入領域９２６は、光学的に透明な材料の２つのセクション９３４、９４４を包含することができる。光学的に透明な材料の第１のセクション９３４は、センサストリップ９００のための順次較正コーディングについてのパターンを形成するための、光学的に透明な層９３４に付着または印刷された較正オーバーレイ９３０を有することができる。較正オーバーレイ９３０は、オーバーレイにおいて印刷、パンチングまたは別な方法で切断された複数個のデータ孔（例えば、９３２）を有することができる。同様に、光学的に透明な材料の第２のセクション９４４は、センサストリップ９００のための順次同期コーディングについてのパターンを形成するための、光学的に透明な層９４４に付着または印刷された同期オーバーレイ９４０を有することができる。同期オーバーレイ９４０は、オーバーレイにおいて印刷、パンチングまたは別な方法で切断された複数個の同期孔（例えば、９４２）を有することができる。
【００６０】
ここで図１０を参照すると、生体液中の分析対象物の分析を較正するための例示的な方法についてのフローチャートが例証される。フローチャートにおいて識別される下に記載された作用は、メモリに記憶され、かつ流体分析対象物測定機器、例えば、血糖測定機器もしくは携帯用または固定ユニットを包含する他のタイプの流体分析対象物測定機器他内またはそれに接続された一つ以上のプロセッシングユニットによって施行できる命令に対応する。最初に、ステップ１０１０において、方法は、較正コーディングパターンを形成するシーケンシャルの光学的に透明な位置および非透明な位置の第１の列を包含する、検査センサにおける第１の光学的に透明な孔を通して光波を伝送する行為を包含する。次に、ステップ１０１２において、ステップ１０１０における行為とほとんど同時に、検査センサにおける第２の光学的に透明な孔を通して光波を伝送する行為を具現化する。透明な孔は、較正コーディングパターンに対応する同期コーディングパターンを形成する、検査センサにおけるシーケンシャルの光学的に透明な位置および非透明な位置の第２の列を包含する。その後、ステップ１０１４において、第１の光学的に透明な孔を通して伝送された光波を、第１の光センサによって受け入れ、そしてステップ１０１６において、第２の光学的に透明な孔を通して伝送された光波を、第２の光センサによって受け入れる。次に、ステップ１０１８において、第１の光センサによって受け入れられたおよび受け入れられない光波に応じて、一連の較正コードシグナルを生成する行為を具現化する。光波は、分析対象物測定装置内への検査センサの挿入期間における、第１の光センサを通る光学的に透明な位置および非透明な位置に応じて受け入れられるおよび受け入れられない。その後、ステップ１０２０において、ステップ１０１８における行為とほとんど同時に、第２の光センサによって受け入れられたおよび受け入れられない光波に応じて、一連の同期コードシグナルを生成する行為を具現化する。光波は、分析対象物測定装置内への検査センサの挿入期間における、第２の光センサを通るシーケンシャルの光学的に透明な位置および非透明な位置の第２の列に応じて受け入れられるおよび受け入れられない。一連の同期コードシグナルは、一連の較正コードシグナルに対応する。次に、ステップ１０２２において、生成された一連の較正コードシグナルに応じて、一つ以上のプロセッシングユニットによって少なくとも一つの相関式を較正する行為を具現化する。最終に、ステップ１０２４において、少なくとも一つの較正された相関式に基づいて、一つ以上のプロセッシングユニットのうちの少なくとも一つによって分析対象物濃度を決定する行為を具現化する。分析対象物濃度決定は、出力シグナルを発生する電気化学的反応において分析対象物を反応させることをさらに包含する。その後、分析対象物濃度を、少なくとも一つの較正された相関式および発生された出力シグナルを使用して計算する。
【００６１】
いくつかの態様において、生体液中の分析対象物の分析を較正するための方法が分析対象物測定機器の挿入ポート内への検査センサの挿入を検出することをさらに包含することができることが検討される。検出は、光波または光ビームを、較正コーディングパターンおよび同期コーディングパターンを形成する光学的に透明な孔および非透明な位置を通して伝送する直前に起こることができる。較正コーディングパターンは、同期コーディングパターンが較正コーディングパターンとおよそ同じ全長であるところの全長を有することがさらに検討される。いくつかの態様において、シーケンシャルの光学的に透明な位置および非透明な位置の第２の列は、等間隔に設けられる。較正コーディングパターンは、ストリップの光学的に非透明な部分によって、同期コーディングパターンとパラレルにかつ物理的に分離して検査センサに配列することができる。
【００６２】
本発明を、例証した実施態様の詳細を参照して記載したが、これらの詳細は、添付の特許請求の範囲に定義されるような本発明の範囲を限定することは意図しない。例として、例証した実施態様は、概して、１６個の位置または光学的に透明な孔を包含する同期コードパターンを対象とするけれども、異なる配置とともに、較正コードパターンのためのクロッキングメカニズムを提供するための、より多いまたはより少ない光学的に透明な孔をもつコーディングパターンも検討される。さらに、検査センサ材料において透明な材料および部分的な開口両方のハイブリッドを包含する異なるタイプの光学的に透明な孔も検討される。加えて、センサインターフェース、光源、光センサおよび本明細書に使用したセンサの断面および他の幾何学的態様は、他の形状、例えば、円形、正方形、六角形、八角形、他の多角形形状または長円形であることができることに留意すべきである。例証した実施態様の非電気的コンポーネントは、通常、高分子材料から作られる。装置およびストリップを形成するのに使用できる高分子材料の非限定的な例は、ポリカーボネート、ＡＢＳ、ナイロン、ポリプロピレンまたはそれらの組み合わせを包含する。流体分析対象物システムを、非高分子材料を使用して作ることもできることが検討される。開示した実施態様および明白なそれらのバリエーションは、主張した発明の本質および範囲内に収まることが検討される。
【００６３】
代替態様
【００６４】
代替態様Ａの、生体液中の分析対象物濃度を決定するための検査センサは、流体受入エリアおよびポート挿入領域を包含するストリップと；ポート挿入領域の第１のエリア内に配列された較正コードパターンを形成する光学的に透明な位置および非透明な位置の第１の列と；ポート挿入領域の第２のエリア内に配列された同期コードパターンを形成する光学的に透明な位置および非透明な位置の第２の列と、を包含し、第２のエリアは、第１のエリアとは異なり、同期コードパターンは、較正コードパターンに対応し、分析対象物測定機器の受入ポート内へのポート挿入領域の挿入期間に、同期コードパターンが較正コードパターンの同期を提供する。
【００６５】
代替態様Ｂの、先行する態様の検査センサは、検査センサが電気化学的検査センサであることをさらに包含し、ストリップは、ポート挿入領域内に少なくとも部分的に配列された一つ以上の電気的コンタクトをさらに包含し、電気的コンタクトは、受入ポート内へのポート挿入領域の挿入時に、分析対象物測定機器のセンサコンタクトに位置合わせおよび電気的に接続するように構成される。
【００６６】
代替態様Ｃの、先行する態様ＡまたはＢの任意の一つの検査センサは、較正コードパターンおよび同期コードパターンがストリップにおける少なくとも一つの開口を包含し、少なくとも一つの開口が光学的に透明な位置の一つ以上を画定することをさらに包含する。
【００６７】
代替態様Ｄの、先行する態様Ａ〜Ｃの任意の一つの検査センサは、較正コードパターンが同期コードパターンと較正コードパターンが同じ全長を有するような全長を有することをさらに包含する。
【００６８】
代替態様Ｅの、先行する態様Ａ〜Ｄの任意の一つの検査センサは、較正コードパターンを形成する位置が同期コードパターンとパラレルにストリップ上に直線的に配列されることをさらに包含する。
【００６９】
代替態様Ｆの、先行する態様Ａ〜Ｅの任意の一つの検査センサは、較正コードパターンがストリップの光学的に非透明な部分によって、同期コードパターンとパラレルにかつ物理的に分離してストリップ上に配列されることをさらに包含する。
【００７０】
代替態様Ｇの、先行する態様Ａ〜Ｆの任意の一つの検査センサは、ポート挿入領域が第１の縁および反対側の第２の縁を包含し、較正コードパターンが第１の縁とパラレルにかつそれに沿って方向づけられ、同期コードパターンが第２の縁とパラレルにかつそれに沿って方向づけられることをさらに包含する。
【００７１】
代替態様Ｈの、先行する態様Ａ〜Ｇの任意の一つの検査センサは、較正コードパターンおよび同期コードパターンの各々が第１の縁および第２の縁に沿ってストリップに配列された開口を包含し、コードパターンの開口の各々がストリップによって画定された開口の３つの側面のみをもつ概して矩形であることをさらに包含する。
【００７２】
代替態様Ｉの、先行する態様Ａ〜Ｈの任意の一つの検査センサは、検査センサがグルコース酸化酵素および／またはグルコース脱水素酵素を包含する試薬を包含することをさらに包含する。
【００７３】
代替態様Ｊの、先行する態様Ａ〜Ｉの任意の一つの検査センサは、較正コードパターンがおよそ８個〜およそ１６個の光学的に透明な第１の孔を包含し、同期コードパターンがおよそ８個〜およそ１６個の光学的に透明な第２の孔を包含することをさらに包含する。
【００７４】
代替態様Ｋの、先行する態様Ａ〜Ｊの任意の一つの検査センサは、較正コードパターンがストリップの上表面を０．０４平方インチ未満占有することをさらに包含する。
【００７５】
代替態様Ｌの、先行する態様Ａ〜Ｊの任意の一つの検査センサは、較正コードパターンがストリップの上表面を０．０２平方インチ未満占有することをさらに包含する。
【００７６】
代替態様Ｍの、先行する態様Ａ〜Ｌの任意の一つの検査センサは、同期コードパターンがストリップの上表面を０．０４平方インチ未満占有することをさらに包含する。
【００７７】
代替態様Ｎの、先行する態様Ａ〜Ｌの任意の一つの検査センサは、同期コードパターンがストリップの上表面を０．０２平方インチ未満占有することをさらに包含する。
【００７８】
代替態様Ｏの、先行する態様Ａ〜Ｎの任意の一つの検査センサは、較正コードパターンおよび同期コードパターンが共に、ストリップの上表面を０．０６平方インチ未満占有することをさらに包含する。
【００７９】
代替態様Ｐの、先行する態様Ａ〜Ｎの任意の一つの検査センサは、較正コードパターンおよび同期コードパターンが共に、ストリップの上表面を０．０３平方インチ未満占有することをさらに包含する。
【００８０】
代替態様Ｑの、先行する態様Ａ〜Ｐの任意の一つの検査センサは、検査センサが光学的検査センサであることをさらに包含する。
【００８１】
代替態様Ｒの、生体液中の分析対象物濃度を決定するための検査センサは、流体受入エリアおよびポート挿入領域を包含するストリップと、ポート挿入領域内に少なくとも部分的に配列された一つ以上の電気的コンタクトであって、分析対象物測定機器の受入ポート内へのポート挿入領域の挿入時に、分析対象物測定機器のセンサコンタクトに位置合わせおよび電気的に接続するように構成された電気的コンタクトと；ポート挿入領域の第１のエリア内に配列された順次較正コードパターンであって、光波がそこを通って伝送可能な第１の光学的に透明な部分を包含する順次較正コードパターンと；ポート挿入領域の第２のエリア内に配列された同期コードパターンであって、第２のエリアが第１のエリアとは異なり、光波がそこを通って伝送可能な第２の光学的に透明な部分を包含する同期コードパターンと、を包含し、同期コードパターンは、順次較正コードパターンに対応し、分析対象物測定機器の受入ポート内へのポート挿入領域の挿入期間に、同期コードパターンが順次較正コードパターンの同期を提供する。
【００８２】
代替態様Ｓの、先行する態様の検査センサは、順次較正コードパターンがストリップ上に、同期コードパターンとパラレルに配列されることをさらに包含する。
【００８３】
代替態様Ｔの、先行する態様ＲまたはＳの任意の一つの検査センサは、第１の光学的に透明な部分の少なくとも一つが光学的に非透明な材料によって順次較正コードパターンのもう一つの第１の光学的に透明な部分と物理的に分離されることをさらに包含する。
【００８４】
代替態様Ｕの、先行する態様Ｒ〜Ｔの任意の一つの検査センサは、同期コードパターンが等間隔に分配された光学的に非透明な材料によって、各々が分離された、等間隔に分配された順次孔を有することをさらに包含する。
【００８５】
代替態様Ｖの、先行する態様Ｒ〜Ｕの任意の一つの検査センサは、検査センサがグルコース酸化酵素またはグルコース脱水素酵素を包含する試薬を包含することをさらに包含する。
【００８６】
代替態様Ｗの、先行する態様Ｒ〜Ｖの任意の一つの検査センサは、順次較正コードパターンがおよそ８個〜およそ１６個の光学的に透明な第１の孔を包含し、同期コードパターンがおよそ８個〜およそ１６個の光学的に透明な第２の孔を包含することをさらに包含する。
【００８７】
代替態様Ｘの、先行する態様Ｒ〜Ｗの任意の一つの検査センサは、順次較正コードパターンおよび同期コードパターンが共に、ストリップの上表面を０．０６平方インチ未満占有することをさらに包含する。
【００８８】
代替態様Ｙの、先行する態様Ｒ〜Ｘの任意の一つの検査センサは、順次較正コードパターンおよび同期コードパターンが共に、ストリップの上表面を０．０３平方インチ未満占有することをさらに包含する。
【００８９】
代替態様Ｚの、生体液中の分析対象物濃度を決定するためのバイオセンサシステムは、一つ以上の光源、第１の光センサおよび第２の光センサを包含する光学的パターン読み取り装置に接続されたプロセッシングユニットを包含する測定装置と；第１の光学的に透明な孔を包含するシーケンシャルデータコーディングパターンおよび第２の光学的に透明な孔を包含する分離した対応する同期コーディングパターンを包含するセンサストリップと、を包含し、一つ以上の光源が光波を第１のおよび第２の光学的に透明な孔を通して伝送するように構成され、一つ以上の光源が第１のおよび第２の光学的に透明な孔の第１の側面に少なくとも部分的に位置付けられ、第１の光センサが第１の光学的に透明な孔の反対の側面に位置付けられ、第２の光センサが第２の光学的に透明な孔の反対の側面に位置付けられ、第１の光センサおよび第２の光センサが一つ以上の光源からの伝送された光波を受け入れるように構成され、光波が一つ以上の光源によって伝送され、センサストリップが測定装置内に挿入されている間に、第１の光センサおよび第２の光センサによって受け入れられ、同期コーディングパターンに関連する第２の光センサによって受け入れられた光波は、シーケンシャルデータコーディングパターンに関連する第１の光センサによって受け入れられた光波のための同期を提供する。
【００９０】
代替態様ＡＡの、先行する態様のバイオセンサは、シーケンシャルデータコーディングパターンおよび同期コーディングパターンによって、一連の対応するポジティブおよびネガティブコードシグナルが光学的読み取りヘッド装置によって生成され、センサストリップが測定装置内に挿入されている間にプロセッシングユニットによって受信され、測定装置およびセンサストリップがシーケンシャルデータコーディングパターンに関連する少なくとも一つの相関式を有する分析対象物分析を具現化するように構成され、プロセッシングユニットが光学的パターン読み取り装置から受信した、生成されたコードシグナルに応じて、少なくとも一つの相関式を較正するように構成され、さらに、プロセッシングユニットが少なくとも一つの較正された相関式に応答して、分析対象物濃度を決定するように構成されることをさらに包含する。
【００９１】
代替態様ＡＢの、先行する態様ＺまたはＡＡの任意の一つのバイオセンサは、シーケンシャルデータコードパターンが８個〜１６個のシーケンシャルの第１の光学的に透明な孔を包含し、同期コーディングパターンが８個〜１６個のシーケンシャルのおよび等間隔に設けられた第２の光学的に透明な孔を包含することをさらに包含する。
【００９２】
代替態様ＡＣの、先行する態様Ｚ〜ＡＢの任意の一つのバイオセンサは、シーケンシャルデータコーディングパターンの少なくとも一部がセンサストリップにおける開口であることをさらに包含する。
【００９３】
代替態様ＡＤの、先行する態様Ｚ〜ＡＣの任意の一つのバイオセンサは、同期コーディングパターンの少なくとも一部がセンサストリップにおける開口であることをさらに包含する。
【００９４】
代替態様ＡＥの、先行する態様Ｚ〜ＡＤの任意の一つのバイオセンサは、シーケンシャルデータコーディングパターンがセンサストリップの全長に沿って分配され、同期コーディングパターンがシーケンシャルデータコーディングパターンと同じ全長を有することをさらに包含する。
【００９５】
代替態様ＡＦの、先行する態様Ｚ〜ＡＥの任意の一つのバイオセンサは、シーケンシャルデータコーディングパターンが同期コーディングパターンとパラレルにセンサストリップ上に配列されることをさらに包含する。
【００９６】
代替態様ＡＧの、先行する態様Ｚ〜ＡＦの任意の一つのバイオセンサは、同期コーディングパターンがセンサストリップの表面に等間隔に分配された光学的に透明なシーケンシャル孔であり、各々の隣接した光学的に透明な同期孔が光学的に非透明な材料によって分離されることをさらに包含する。
【００９７】
代替態様ＡＨの、先行する態様Ｚ〜ＡＧの任意の一つのバイオセンサは、シーケンシャルデータコーディングパターンと同期コーディングパターンとがパラレルであり、それぞれのコーディングパターンの全体全長に沿ってセンサストリップの表面の部分によって物理的に分離されることをさらに包含する。
【００９８】
代替態様ＡＩの、先行する態様Ｚ〜ＡＨの任意の一つのバイオセンサは、センサストリップが第１の縁および反対側の第２の縁を有し、シーケンシャルデータコーディングパターンが第１の縁に沿ってシーケンシャルに位置付けられ、同期コーディングパターンが反対側の第２の縁に沿ってシーケンシャルに位置付けられることをさらに包含する。
【００９９】
代替態様ＡＪの、先行する態様Ｚ〜ＡＩの任意の一つのバイオセンサは、シーケンシャルデータコーディングパターンおよび同期コーディングパターンがセンサストリップにおける一つ以上の開口を包含し、各々のコーディングパターン開口が矩形であり、センサストリップの光学的に非透明な材料によって３つの側面のみに沿って画定されることをさらに包含する。
【０１００】
代替態様ＡＫの、先行する態様Ｚ〜ＡＪの任意の一つのバイオセンサは、バイオセンサがグルコース酸化酵素またはグルコース脱水素酵素を包含する試薬を包含することをさらに包含する。
【０１０１】
代替態様ＡＬの、先行する態様Ｚ〜ＡＫの任意の一つのバイオセンサは、一つ以上の光源が単一ＬＥＤ光源およびＬＥＤ光源からの光を受け入れて、光波を第１の光学的に透明な孔および第２の光学的に透明な孔に向け直すための２つの光ガイドを包含し、光波が２つの光ガイド内の全内部反射によって導かれ、２つの光ガイドが光学的に透明な孔の最小寸法よりも狭い光ビームを放出するように構成されることをさらに包含する。
【０１０２】
代替態様ＡＭの、先行する態様Ｚ〜ＡＬの任意の一つのバイオセンサは、一つ以上の光源が２つのＬＥＤ光源を包含し、一つのＬＥＤ光源が光波を第１の光学的に透明な孔を通して、第１の光センサ内に伝送するように位置付けられ、他のＬＥＤ光源が光波を第２の光学的に透明な孔を通して、第２の光センサ内に伝送するように位置付けられることをさらに包含する。
【０１０３】
代替態様ＡＮの、先行する態様Ｚ〜ＡＭの任意の一つのバイオセンサは、より多い光源のうちの一つの各々が一つ以上の光源が光学的に透明な孔の最小寸法よりも狭い光ビームを放出するように構成されたマスクを包含することをさらに包含する。
【０１０４】
代替態様ＡＯの、先行する態様Ｚ〜ＡＮの任意の一つのバイオセンサは、光センサがシーケンシャルデータコーディングパターンに関連する第１の光学的に透明な孔および同期コーディングパターンに関連する第２の光学的に透明な孔を通して伝送された光波に応じて、パルスのシーケンスを生成することをさらに包含する。
【０１０５】
代替態様ＡＰの、先行する態様Ｚ〜ＡＯの任意の一つのバイオセンサは、センサストリップを検出するためのセンサストリップ検出システムが測定装置のポート内に挿入され、シーケンシャルデータコーディングパターンおよび同期コーディングパターンの光学的読み取りを開始する直前にセンサストリップが検出されることをさらに包含する。
【０１０６】
代替態様ＡＱの、較正された相関式を使用して生体液中の分析対象物濃度を決定するための方法は、以下の行為：（ａ）較正コーディングパターンを形成するシーケンシャルの光学的に透明な位置および非透明な位置の第１の列を包含する、検査センサにおける第１の光学的に透明な孔を通して光波を伝送することと；（ｂ）行為（ａ）とほぼ同時に、較正コーディングパターンに対応する同期コーディングパターンを形成する、シーケンシャルの光学的に透明な位置および非透明な位置の第２の列を包含する、検査センサにおける第２の光学的に透明な孔を通して光波を伝送することと；（ｃ）第１の光学的に透明な孔を通して伝送された光波を第１の光センサにおいて受け入れることと；（ｄ）第２の光学的に透明な孔を通して伝送された光波を第２の光センサにおいて受け入れることと；（ｅ）分析対象物測定装置内への検査センサの挿入期間に、第１の光センサによって受け入れられた光波ならびに第１の光センサを通る光学的に透明な位置および非透明な位置の故に第１の光センサによって受け入れられない光波に応じて、一連の較正コードシグナルを生成することと；（ｆ）行為（ｅ）とほぼ同時に、分析対象物測定装置内への検査センサの挿入期間に、第２の光センサによって受け入れられた光波ならびに第２の光センサを通る光学的に透明な位置および非透明な位置の故に第２の光センサによって受け入れられない光波に応じて、一連の較正コードシグナルに対応する一連の同期コードシグナルを生成することと；（ｇ）一連の較正コードシグナルの生成に応じて、少なくとも一つの相関式を較正することと；（ｈ）少なくとも一つの較正された相関式に基づいて、分析対象物濃度を決定することと、を包含し、分析対象物濃度が出力シグナルを発生する反応において分析対象物を反応させることによって決定され、分析対象物濃度が少なくとも一つの較正された相関式および発生された出力シグナルを使用して決定される。
【０１０７】
代替態様ＡＲの、先行する態様の方法は、分析対象物測定機器の挿入ポート内への検査センサの挿入を検出することをさらに包含し、検出は、ステップ（ａ）および（ｂ）における光波の伝送の直前に起こる。
【０１０８】
代替態様ＡＳの、先行する態様ＡＱまたはＡＲの任意の一つの方法は、較正コーディングパターンが同期コーディングパターンと較正コーディングパターンが同じ全長を有するような全長を有することをさらに包含する。
【０１０９】
代替態様ＡＴの、先行する態様ＡＱ〜ＡＳの任意の一つの方法は、シーケンシャルの光学的に透明な位置および非透明な位置の第２の列が等間隔に設けられることをさらに包含する。
【０１１０】
代替態様ＡＵの、先行する態様ＡＱ〜ＡＴの任意の一つの方法は、較正コーディングパターンがストリップの光学的に非透明な部分によって、同期コーディングパターンとパラレルにかつ物理的に分離して検査センサに配列されることをさらに包含する。
【０１１１】
代替態様ＡＶの、先行する態様ＡＱ〜ＡＵの任意の一つの方法は、検査センサが血糖濃度を決定することをさらに包含する。
【０１１２】
代替態様ＡＷの、先行する態様ＡＱ〜ＡＶの任意の一つの方法は、シーケンシャルの光学的に透明な位置および非透明な位置の少なくとも一部が直線的に配置されることをさらに包含する。
【０１１３】
代替態様ＡＸの、先行する態様ＡＱ〜ＡＷの任意の一つの方法は、シーケンシャルの光学的に透明な位置および非透明な位置の少なくとも一部が互い違いに位置することをさらに包含する。
【０１１４】
代替態様ＡＹの、先行する態様ＡＱ〜ＡＸの任意の一つの方法は、反応が電気化学的反応であり、出力シグナルが電気シグナルであることをさらに包含する。
【０１１５】
これらの実施態様およびそれらの明白なバリエーションの各々は、以下の特許請求の範囲において明記される主張した発明の本質および範囲内に収まるものとして検討される。また、本概念は、先行する要素および態様の任意のおよびすべての組み合わせおよびサブコンビネーションを明確に包含する。
【図１】
2017508158.tif 000003
【図２】
2017508158.tif 000004
【図３】
2017508158.tif 000005
【図４】
2017508158.tif 000006
【図５】
2017508158.tif 000007
【図６】
2017508158.tif 000008
【図７】
2017508158.tif 000009
【図８】
2017508158.tif 000010
【図９】
2017508158.tif 000011
【図１０】
2017508158.tif 000012
【国際調査報告】
2017508158.tif 000013
2017508158.tif 000014